(57)【要約】【課題】複数の発光素子を備え、それらの発光素子を選択的に光源として使用できる観察装置であって、その備えられている複数の発光素子自体を容易に交換できる観察装置の提供。【解決手段】試料を観察するための光学系２を備えた観察装置１であって、光学系２が設置される観察装置本体４と、光学系２の光源となる複数の発光素子１２が設置された照明ユニット３とを有し、照明ユニット３は、複数の発光素子１２から所望の発光素子１２を光源として光学系２の照明光路に選択的に配置可能に観察装置本体４に支持されるとともに、観察装置本体４に対して挿抜自在に備えられている。【選択図】        図４
2010186067.tif 000002
【特許請求の範囲】
【請求項１】
試料を観察するための光学系を備えた観察装置であって、
前記光学系が設置される観察装置本体と、
前記光学系の光源となる複数の発光素子が設置された照明ユニットとを有し、
該照明ユニットは、前記複数の発光素子から所望の発光素子を前記光学系の照明光路に光源として選択的に配置可能に前記観察装置本体に支持されるとともに、前記観察装置本体に対して挿抜自在に備えたことを特徴とする観察装置。
【請求項２】
前記照明ユニットは、回転軸を中心として回転可能に前記観察装置本体に支持され、
前記発光素子は、前記回転軸の周囲に備えられ、
前記照明ユニットを前記回転軸を中心として回転させることにより、前記発光素子を選択的に前記照明光路に配置可能であることを特徴とする請求項１に記載の観察装置。
【請求項３】
前記複数の発光素子は、前記照明ユニットの挿抜方向に並べて設置され、
前記照明ユニットは、該照明ユニットを前記発光素子とともに前記挿抜方向に移動させることにより、前記発光素子を選択的に前記照明光路に配置可能に、前記観察装置本体に支持されることを特徴とする請求項１に記載の観察装置。
【請求項４】
前記観察装置本体は、内部に電源と電気的に接続された接点部を有し、
前記各発光素子の電極は、前記照明ユニットの外面に露出するように配置され、
前記照明ユニットを前記観察装置本体に挿入し、前記所望の発光素子を前記照明光路に配置した際に、前記所望の発光素子の前記電極が、前記接点部と接することにより、前記照明ユニットに電力が供給されることを特徴とする請求項１に記載の観察装置。
【請求項５】
前記照明ユニットには、前記発光素子の情報を保持する素子情報保持部を有し、
前記観察装置本体には、前記照明光路に挿入されている発光素子の情報を前記素子情報保持部から認識する素子認識手段と、前記発光素子の情報をもとに、該発光素子に合わせた電力を供給する電力制御手段とを有することを特徴とする請求項１〜４の何れか一つに記載の観察装置。
【発明の詳細な説明】
【技術分野】
【０００１】
本発明は、複数の光源を備えた観察装置に関するものである。
【背景技術】
【０００２】
従来、試料を観察するための光学系を備えた観察装置であって、光源として発光素子を複数備え、この複数の発光素子から任意の発光素子を選択的に光源として使用できる観察装置がある（例えば特許文献１参照）。
【０００３】
この観察装置は、予め備えられた複数の発光素子の間で、光源とする発光素子を容易に変えることができる。
【０００４】
【特許文献１】特開２００３−１９５１７７号公報
【発明の開示】
【発明が解決しようとする課題】
【０００５】
しかし、このような従来の観察装置は、予め設置されている発光素子以外の発光素子を使用したい場合等において発光素子を交換する際には、観察装置に発光素子が固定されているため、発光素子の交換に手間がかかるという問題があった。
【０００６】
そこで、本発明はこのような従来の問題に鑑み、複数の発光素子を備え、それらの発光素子を選択的に光源として使用できる観察装置であって、その備えられている複数の発光素子自体を容易に交換できる観察装置の提供を目的としてなされたものである。
【課題を解決するための手段】
【０００７】
上述の如き従来の問題を解決し、所期の目的を達成するための本発明にかかる観察装置の特徴は、試料を観察するための光学系を備えた観察装置であって、前記光学系が設置される観察装置本体と、前記光学系の光源となる複数の発光素子が設置された照明ユニットとを有し、該照明ユニットは、前記複数の発光素子から所望の発光素子を光源として前記光学系の照明光路に選択的に配置可能に前記観察装置本体に支持されるとともに、前記観察装置本体に対して挿抜自在に備えたことにある。
【０００８】
また、本発明にかかる観察装置の特徴は、上記構成に加えて、前記照明ユニットは、回転軸を中心として回転可能に前記観察装置本体に支持され、前記発光素子は、前記回転軸の周囲に備えられ、前記照明ユニットを前記回転軸を中心として回転させることにより、前記発光素子を選択的に前記照明光路に配置可能であることにある。
【０００９】
本発明にかかる観察装置の特徴は、上記構成に加えて、前記複数の発光素子は、前記照明ユニットの挿抜方向に並べて設置され、前記照明ユニットは、該照明ユニットを前記発光素子とともに前記挿抜方向に移動させることにより、前記発光素子を選択的に前記照明光路に配置可能に、前記観察装置本体に支持されることにある。
【００１０】
本発明にかかる観察装置の特徴は、上記構成に加えて、前記観察装置本体は、内部に電源と電気的に接続された接点部を有し、前記各発光素子の電極１２ａは、前記照明ユニットの外面に露出するように配置され、前記照明ユニットを前記観察装置本体に挿入し、前記所望の発光素子を前記照明光路に配置した際に、前記所望の発光素子の前記電極１２ａが、前記接点部と接することにより、前記照明ユニットに電力が供給されることにある。
【００１１】
本発明にかかる観察装置の特徴は、上記構成に加えて、前記照明ユニットには、前記発光素子の情報を保持する素子情報保持部を有し、前記観察装置本体には、前記照明光路に挿入されている発光素子の情報を前記素子情報保持部から認識する素子認識手段と、前記発光素子の情報をもとに、該発光素子に合わせた電力を供給する電力制御手段とを有することにある。
【発明の効果】
【００１２】
本発明に係る観察装置は、複数の発光素子を光源として選択的に照明光路に配置可能であるので、複数の光源を容易に切り替えて試料の観察を行うことができる。また、照明ユニット自体が観察装置本体に対して、挿抜自在に備えられているので、照明ユニット自体を容易に交換することができ、１つの観察装置で、様々な光源を使用した観察が容易に可能である。
【発明を実施するための最良の形態】
【００１３】
以下に、本発明にかかる観察装置の実施の形態を図面に基づいて詳細に説明する。以下、図においてＸ軸方向が観察装置の左右方向、Ｙ軸方向が観察装置の前後方向、Ｚ軸方向が観察装置の上下方向である。また、Ｙ軸の正の方向が、観察装置の前面側である。
【００１４】
（実施の形態１）
図１〜図７は、本発明の実施の形態１を示している。本実施例における観察装置は、顕微鏡１である。この顕微鏡１は、試料を観察するための光学系２と、照明ユニット３と、顕微鏡本体４（観察装置本体）とを有している。光学系２は、従来の顕微鏡１に備えられている光学系と同様の光学系でよい。光学系２は、光源から発せられる光を試料に照射し、その反射光を観察するためのものである。光学系２は、接眼レンズ２ａ、集光レンズ２ｂ、図示しない対物レンズなどを備える。光学系２は、顕微鏡本体４に設置されている。
【００１５】
顕微鏡本体４は、右側面からみて略コ字型に形成され、ベース部４ａと、柱部４ｂと、アーム部４ｃと、ステージ部４ｄと、観察部４ｅとを有している。ベース部４ａは、顕微鏡１を設置する場所に直接載置される部分であり、略直方体状に形成されている。柱部４ｂは、ベース部２の奥側に立設されている。アーム部４ｃは、柱部３の上端から顕微鏡１正面側に向かって延在されている部分である。アーム部４ｃの顕微鏡本体４の前面側上部には、観察部４ｅが形成されている。観察部４ｅには、接眼レンズ２ａ，２ａが設置されている。
【００１６】
ステージ４ｄは、柱部４ｂに支持され、柱部４ｂの前面側であって、アーム部４ｃとベース部４ａの間に配置されている。ステージ４ｄは、観察対象である試料が設置される部分である。ステージ４ｄの上面に試料が載置される。
【００１７】
照明ユニット３は、顕微鏡本体４に対して挿抜自在に、顕微鏡本体４のベース部４ａに設置される。照明ユニット３は、ユニット本体１１と、光学系２の光源となる複数の発光素子１２とを備えている。ユニット本体１１は、四角柱状に形成され、その長さ方向一端側は、操作部１１ａとなっている。ユニット本体１１の長さ方向他端側には、複数の発光素子１２が設置されている。
【００１８】
発光素子１２は、ユニット本体１１において、ユニット本体１１の側面側から光を出射するように配置されている。また、発光素子１２は、ユニット本体１１の側面毎に設置され、周状に配置されている。即ち、本実施の形態１においては、ユニット本体１１は角柱状に形成され４つの側面を有しているので、４つの発光素子１２を備えている。各発光素子１２は、互いに異なる発光スペクトルを有するものを使用している。各発光素子１２の電極１２ａは、ユニット本体１１の側面に露出するように配置されている。各発光素子１２の電極１２ａは、それぞれユニット本体１１の異なる側面に露出されている。
【００１９】
また、ユニット本体１１の各側面には、各発光素子１２に対応して、凹部１３が形成されている。この凹部１３は、後述するユニット支持部材２３に形成された凸部２５と嵌合する。ユニット本体１１の各側面の操作部１１ａ側には、各発光素子１２に対応するように、各側面に素子情報表示部１４が形成されている。素子情報表示部１４は、発光素子１２の規格等の情報が表示される。
【００２０】
顕微鏡本体４は、照明ユニット設置部２１を有している。照明ユニット設置部２１は、照明ユニット３が挿入されて設置される部分であり、ユニット挿入孔２２と、ユニット支持部材２３と、接点部２４とを有している。ユニット挿入孔２２は、顕微鏡本体４のベース部４ａの側面に開口され、このユニット挿入孔２２から照明ユニット３が顕微鏡本体４内に挿入されるようになっている。ユニット挿入孔２２は、その開口部が円形状となるように開口されている。
【００２１】
ユニット支持部材２３は、顕微鏡本体４のベース部４ａ内部に設置されている。ユニット支持部材２３は、略Ｌ字形に形成され、上端側が顕微鏡本体４に対して固定され、下部上面２３ａに照明ユニット３が載置されるようになっている。ユニット支持部材２３の下部上面２３ａには、凸部２５が形成されている。照明ユニット３を顕微鏡本体４に設置する際に、所望の発光素子１２が光学系２の光源となるように光学系２の光軸Ｌ上の照明光路の始点に配置されると、ユニット支持部材２３の凸部２５が、照明ユニット３の凹部１３と嵌合し、クリック感が生じるようになっている。このクリック感によって、照明ユニット３が適切な位置に配置されたことが操作者に認識される。尚、照明光路は、光源から出射された光が集光レンズ２ｂを経て、ステージ４ｄ上に配置される試料に照射されるまでの光路である。
【００２２】
接点部２４は、金属製の接続端子２４ａを備えている。この接続端子２４ａは、顕微鏡本体４の照明ユニット３が挿入される空間に露出するように配置され、照明ユニット３が設置された際には、発光素子１２の電極１２ａと接し、電気的に接続される。接続端子２４ａは、発光素子駆動部２６と接続されており、この発光素子駆動部２６を介して、発光素子１２に電力が供給される。発光素子駆動部２６は、顕微鏡本体４に設置されており、発光素子１２に電力を制御する。発光素子駆動部２６は、顕微鏡電源部２７と接続されている。顕微鏡電源部２７は、外部の電源と接続され、顕微鏡１の電動部分に電力を供給する。
【００２３】
照明ユニット３は、顕微鏡本体４に設置された際に、所望の発光素子１２が光軸Ｌ上の照明光路の始点となる位置に選択的に配置される。即ち、ユニット本体１１の各側面に設置されている発光素子１２の内、所望の１側面に配置されている発光素子１２が照明光路に配置される。尚、発光素子１２が照明光路に配置されるとは、光学系２の光源となる位置に発光素子１２が配置されることを言う。
【００２４】
照明ユニット３は、顕微鏡本体４に設置された際には、ユニット挿入孔２２内面と、ユニット支持部材２３とによって支持される。また、照明ユニット３は、ユニット本体１１の長さ方向に伸び、周状に配置された発光素子１２のその周状の中心を通る回転軸を中心として回転可能に、顕微鏡本体４に支持される。照明ユニット３は、発光素子１２が照明ユニット３の回転軸の周囲に複数配置されているので、照明ユニット３を回転軸を中心に回転させることにより、発光素子１２も回転軸を中心に回転し、光学系２の光源とする発光素子１２を入れ替えることができる。
【００２５】
また、照明ユニット３を設置した際には、照明ユニット３の凹部１３と、ユニット支持部材２３の凸部２５とが嵌合するので、照明ユニット３に多少の衝撃が加えられても、照明ユニット３が顕微鏡本体４の所定の位置からずれることを防止できる。従って、発光素子１２の電極１２ａと顕微鏡本体４の接続端子２４ａとの接触がずれることによる発光素子１２の不点灯を防止できる。
【００２６】
照明ユニット３を顕微鏡本体４に設置する際には、照明ユニット３をユニット本体１１の長さ方向他端側からユニット挿入孔２２に挿入する。この際には、ユニット支持部材２３の凸部２５と照明ユニット３の凹部１３が嵌合することにより発生するクリック感により、照明ユニット３が所定の位置に配置されたことがわかる。所定の位置とは、所望の発光素子１２が照明光路に配置される位置である。また、照明ユニット３が所定の位置に配置された際には、所望の発光素子１２に対応する電極１２ａが接続端子２４ａと当接され、電気的に接続される。そして、所望の発光素子１２に電力が供給され、所望の発光素子１２が発光する。この所望の発光素子１２から発せられた光は、光学系２の集光レンズ２ｂを通り、試料に照射される。そして、この試料に照射された光の反射光を光学系２の接眼レンズ２ａを介して観察する。
【００２７】
また、照明ユニット３を顕微鏡本体４に設置した際には、照明ユニット３の操作部１１ａと素子情報表示部１４が顕微鏡本体４から露出する。この素子情報表示部１４を目視することにより、照明光路に配置されている発光素子１２の規格等を確認することができる。
【００２８】
また、照明ユニット３に備えられた他の発光素子１２を光源として使用する際には、照明ユニット３の操作部１１ａをつまんで照明ユニット３を回転軸を中心に回転させることにより、他の発光素子１２を照明光路に配置することができる。この際には、ユニット支持部材２３の凸部２５と入れ替える発光素子１２に対応する凹部１３が嵌合することによりクリック感が生じ、他の発光素子１２が所定の位置に配置されたことがわかる。その際には、当然、他の発光素子１２に対応する電極１２ａが接続端子２４ａと接続され、他の発光素子１２に電力が供給されることとなる。また、他の照明ユニット３を使用する際には、顕微鏡本体４ａに設置されている照明ユニット３を抜去し、他の照明ユニット３を挿入する。
【００２９】
顕微鏡１は、試料を観察する際に、照明ユニット３に備えられた複数種類の発光素子１２から、選択的に所望の発光素子１２を光源として使用することができる。従って、複数種類の光源を容易に切り替えて観察を行うことができる。また、顕微鏡１は、照明ユニット３が挿抜自在に備えられているので、照明ユニット３自体の交換も容易にできる。
【００３０】
尚、本実施の形態１においては、ユニット本体１１は、四角柱状に形成されているが、多角柱状でもよいし、円柱状でも良い。その際、発光素子１２は、照明ユニット３の回転方向及び照明ユニット３の挿抜方向に並べて配置すればよい。また、本実施の形態１においては、１つの発光素子１２を１つの光源として使用しているが、複数の発光素子１２を１つの光源として使用してもよい。
【００３１】
尚、本実施の形態１では、光学系２は、試料に照射された光の反射光を観察するためのものであるが、所謂、蛍光照明用の光学系２でもよい。その場合、その光学系２の光源となる発光素子１２も蛍光照明用のものを使用する。
【００３２】
（実施の形態２）
図８は、本発明における実施の形態２を示している。以下、実施の形態１で説明した部分と同様な部分には同じ符号を付し、説明を省略する。
【００３３】
本実施の形態２における顕微鏡（観察装置）４１は、光学系２と、照明ユニット３１と、顕微鏡本体（観察装置本体）４とを有している。
【００３４】
照明ユニット３１は、ユニット本体１１と、光学系の光源となる複数の発光素子１２とを備えている。発光素子１２は、実施の形態１の照明ユニット３と同様に、ユニット本体１１に設置されている。また、照明ユニット３１は、素子情報保持部３２を有する。素子情報保持部３２は、ユニット本体１１に設置されている。素子情報保持部３２は、発光素子１２毎に設けられており、対応する発光素子１２の情報を保持している。素子情報保持部３２は、保持している発光素子１２の情報を後述する素子情報読み取り部３３（素子認識手段）に情報を発信する。素子情報保持部３２は、それぞれ、各発光素子１２に対応するユニット本体１１の各側面に露出するように設置されている。素子情報保持部３２は、ユニット本体１１において、素子上保持部３２が配置されている側面と同じ側面に配置されている発光素子１２の情報を保持している。尚、素子情報保持部３２としては、ＩＣタグを使用するとよい。
【００３５】
本実施の形態２においては、顕微鏡本体４のベース部４ａのユニット設置部に、素子情報読み取り部３３が設置されている。この素子情報読み取り部３３によって、照明ユニット３１の素子情報保持部３２に保持された発光素子１２の情報が読み取られる。素子情報読み取り部３３は、発光素子駆動部２６と接続されており、読み取った発光素子１２の情報を発光素子駆動部２６に伝達する。発光素子駆動部２６は、素子情報読み取り部３３から送られてきた発光素子１２の情報をもとに、発光素子１２に出力する電力を制御する。
【００３６】
照明ユニット３１を、顕微鏡本体４に設置した際には、照明光路に配置された発光素子１２に対応する素子情報保持部３２が、顕微鏡本体４の素子情報読み取り部３３と対向配置となり、素子情報保持部３２に保持されている発光素子１２の情報の読み取りが可能となる。従って、照明光路に光源として設置されている発光素子１２の情報が素子情報読み取り部３３によって読み取られる。
【００３７】
本実施形態２の観察装置は、要部が実施の形態１と同様の構成を有するので、実施の形態１と同様の効果を有する。また、素子情報保持部３２と素子情報読み取り部３３とを有し、発光素子１２の情報を発光素子駆動部２６に伝達し、その情報をもとに照明光路に配置された発光素子１２にあわせた電力を供給することができる。従って、各面に設置された発光素子１２の定格仕様がそれぞれ異なる場合でも、発光素子１２の故障を防止できる。
【００３８】
（実施の形態３）
図９は、本発明における実施の形態３を示している。以下、実施の形態１で説明した部分と同様な部分には同じ符号を付し、説明を省略する。
【００３９】
本実施の形態３における顕微鏡（観察装置）は、実施の形態１とは、照明ユニットが異なるが他は同様である。本実施の形態３における照明ユニット５１は、ユニット本体１１と、複数の発光素子１２とを備えている。
【００４０】
本実施の形態３においては、照明ユニット５１における発光素子１２の配置位置が実施の形態１とは異なる。本実施の形態３においては、実施の形態１と同様に発光素子１２をユニット本体１１の各側面に配置するだけでなく、ユニット本体１１の側面において、発光素子１２を照明ユニット５１の挿抜方向に並ぶようにも設置している。従って、照明ユニット５１の顕微鏡本体４に対する挿入深さで、照明光路に配置する発光素子１２を切り替えることができる。
【００４１】
照明ユニット５１の挿抜方向に並んだ発光素子１２の電極１２ａも、ユニット本体１１の側面において、照明ユニット５１の挿抜方向に並ぶように設置している。従って、照明ユニット５１を挿抜方向に移動させることで、接続端子２４ａに当接される発光素子１２の電極１２ａも切り替えることができる。
【００４２】
また、ユニット本体１１に形成されている凹部１３も挿抜方向に並んだ発光素子１２に対応して、ユニット本体１１の側面において挿抜方向に並ぶように複数配置されている。従って、照明ユニット５１を挿抜方向に移動させて、発光素子１２を切り替える際にも、クリック感が生じ、所望の発光素子１２が照明光路に配置されたことが認識できる。
【００４３】
本実施形態３の観察装置は、要部が実施の形態１と同様の構成を有するので、実施の形態１と同様の効果を有する。また、発光素子１２の切り替えは、回転方向の切り替えと、挿抜方向の切り替えとが可能であるので、照明ユニット５１に備えられた切り替え可能な発光素子１２の数を多くすることができる。
【００４４】
（実施の形態４）
図１０は、本発明における実施の形態４を示している。以下、実施の形態１で説明した部分と同様な部分には同じ符号を付し、説明を省略する。
【００４５】
本実施の形態４における顕微鏡（観察装置）は、実施の形態１とは照明ユニットが異なるがその他は同様である。本実施の形態４における照明ユニット６１は、ユニット本体１１と、複数の発光素子１２とを備えている。
【００４６】
更に、照明ユニット６１は、ユニット本体１１の周囲をカバーする保護カバー６２を有する。保護カバー６２は、ユニット本体１１を覆うように形成されているとともに、発光素子１２の電極１２ａに対応する部分は、孔６３となっており、発光素子１２の電極１２ａと、顕微鏡本体４の接続端子２４ａとが接触可能となっている。また、保護カバー６２の発光素子１２に対応する部分は、発光素子１２から発せられる照明光を遮らないように照明光を通す保護膜６４となっている。保護カバー６２は、静電気防止材料で形成されている。
【００４７】
本実施の形態４の観察装置は、要部が実施の形態１と同様の構成を有するので、実施の形態１と同様の効果を有する。また、照明ユニット６１は、ユニット本体１１に保護カバー６２が取り付けられているので、ユーザーが発光素子１２に直接接触することを防止することができ、ユーザーが発光素子１２に触れた際に発生する静電気によって、発光素子１２が故障することを防止することができる。
【００４８】
（実施の形態５）
図１１〜図１２は、本発明における実施の形態５を示している。以下、実施の形態１で説明した部分と同様な部分には同じ符号を付し、説明を省略する。
【００４９】
本実施の形態５における顕微鏡（観察装置）は、実施の形態１とは照明ユニットが異なるがその他は同様である。本実施の形態５における照明ユニット７１は、ユニット本体１１と、発光素子１２とを備えている。
【００５０】
本実施の形態５の照明ユニット７１は、ユニット本体１１の周囲をカバーする保護カバー７２を有する。保護カバー７２は、ユニット本体１１を覆うように形成されている。保護カバー７２において、発光素子１２の電極１２ａに対応する部分は、孔が形成され電極用孔７３となっている。この電極用孔７３によって、発光素子１２の電極１２ａと、顕微鏡本体４の接続端子２４ａが接触可能となっている。また、保護カバー７２の発光素子１２に対応する部分も、発光素子１２から発せられる照明光を遮らないよう孔が形成され照明用孔７４となっている。当然、電極用孔７３と照明用孔７４とは、ユニット本体１１の各側面に設置されている発光素子１２に対応して、各側面に形成されている。また、保護カバー７２は、静電気防止材料で形成されている。
【００５１】
ユニット本体１１には、電極用孔７３と照明用孔７４とを開閉する保護扉体７５が設置されている。保護扉体７５は、電極用孔７３を開閉する電極扉部７５ａと、照明用孔７４を開閉する照明扉部７５ｂと、連結部７５ｃと、当接部７５ｄとを有している。連結部７５ｃは、電極扉部７５ａと照明扉部７５ｂとを一体に連結している部分である。当接部７５ｄは、照明ユニット７１を顕微鏡本体４に挿入した際に、顕微鏡本体４に当接される部分である。
【００５２】
保護扉体７５は、全体が一体に、ユニット本体１１に対してスライド可能にユニット本体１１に設置されている。また、保護扉体７５は、照明ユニット７１の挿抜方向にスライドする。保護扉体７５がスライドすることにより、電極用孔７３と照明用孔７４とが同時に開閉する。
【００５３】
照明ユニット７１には、保護扉体開閉機構７６が備えられている。保護扉体開閉機構７６は、保護扉体７５に備えられた当接部７５ｄと、ユニット本体１１に設置された付勢部７７と、バネ７８とから構成されている。バネ７８は、当接部７５ｄと付勢部７７との間に設置され、保護扉体７５をユニット本体１１に対して閉じ方向に付勢している。
【００５４】
照明ユニット７１を顕微鏡本体４に挿入すると、顕微鏡本体４に備えられた図示しない保護扉押出部に、光源として使用される発光素子１２に対応した保護扉体７５の当接部７５ｄが当接される。そのまま、更に照明ユニット７１を挿入していくと、保護扉押出部によって、保護扉体７５が押され、電極用孔７３と照明用孔７４とが開く方向に、保護扉体７５がユニット本体１１に対して相対的に移動を始める。そのまま、所定の位置まで、照明ユニット７１を挿入すると、電極用孔７３と照明用孔７４とが開く。従って、照明ユニット７１を顕微鏡本体４に設置した際には、電極用孔７３と照明用孔７４とが開いた状態となり、電極１２ａと接続端子２４ａが当接する。また、発光素子１２から発せられる照明光も照明用孔７４を通って、光学系２に入射される。
【００５５】
照明ユニット７１を顕微鏡本体４から抜去すると、保護扉体７５は、閉じ方向に付勢されているので、保護扉体７５が閉じ方向にスライドして、電極用孔７３と照明用孔７４とを塞いだ状態とする。従って、電極用孔７３と照明用孔７４は、照明ユニット７１が顕微鏡本体４に設置される前は、保護扉体７５によって、閉じられており、使用者の指等が外部から発光素子１２及び電極１２ａに接触することを防止している。
【００５６】
（変形例）
実施の形態１においては、照明ユニット３とユニット支持部材２３においてクリック感を生じさせるために、ユニット本体１１に凹部１３を設け、ユニット支持部材２３に凸部２５を設けているが、これら凹部１３と凸部２５の代わりに、磁石を使用してクリック感を生じさせてもよい。即ち、図１３〜図１４に示すように、ユニット本体１１において、凹部１３の代わりに磁石８２を設置し、ユニット支持部材２３において、凸部２５のかわりに磁石８３を設置してもよい。
【００５７】
照明ユニット３を顕微鏡本体４に設置する際には、磁石８２と磁石８３が引かれ合いクリック感が生じ、所定の位置に照明ユニット３が設置されたことがわかる。また、照明ユニット３を回転させた際にも、ユニット本体１１の各面に設置されている磁石８２とユニット支持部材２３に設置されている磁石８３とが引かれ合いクリック感が生じるようになっている。従って、照明ユニット３が所定の配置に配置されたことがわかる。尚、本変形例１は、実施の形態１以外にも上述の各実施の形態及び変形例に適用することができる。
【００５８】
（変形例２）
また、上述の各実施の形態及び変形例において、接点部２４の接続端子２４ａは、図１５に示すように、金属板９０を使用し、その一部をアーチ状に形成して湾曲部９０ａを設けるようにしてもよい。この湾曲部９０ａは、一端側が固定され、一端側から他端側に向けてアーチ状に形成されている。湾曲部９０ａの他端は、自由端となっており、湾曲部９０ａがバネ性を有するようになっている。
【００５９】
照明ユニット３が顕微鏡本体４ａに設置された際には、湾曲部９０ａのアーチ状凸側が照明ユニット３の電極１２ａと当接されて、電気的に接続される。この際、湾曲部９０ａのバネ性により、湾曲部９０ａは、電極１２ａに当接される方向に付勢されている。また、照明ユニット３を回転させると、湾曲部９０ａは、照明ユニット３に押されて、一端、照明ユニット３から離れる方向に、即ち、アーチ状凸側が凹む方向に変位する。また、発光素子１２が照明光路に配置された際には、湾曲部９０ａの変位が元に戻り、その発光素子１２に対応する電極１２ａに当接される。従って、照明ユニット３を円滑に回転させることができるとともに、接続端子２４ａと電極１２ａの確実な接触が可能となる。尚、本変形例２は、実施の形態１以外にも上述の各実施の形態及び変形例に適用することができる。
【００６０】
（変形例３）
また、図１６に示すように、実施の形態１において、接点部２４と顕微鏡本体４の間にバネ９１を設けてもよい。バネ９１によって、接続端子２４ａを照明ユニット３の電極１２ａに当接される方向に付勢する。従って、顕微鏡本体４に設置された照明ユニット３を回転させた際に、接点部２４は、照明ユニット３に押されて、一端、照明ユニット３から離れる方向に変位する。また、その後、発光素子１２が照明光路に配置された際には、接点部２４は元の位置に戻り、発光素子１２に対応する電極１２ａに当接される。このように、接点部２４と顕微鏡本体４の間にバネ９１を設けることにより、接続端子２４ａと電極１２ａとの確実な接触が可能となる。尚、本変形例３は、実施の形態１以外にも上述の各実施の形態及び変形例に適用することができる。
【図面の簡単な説明】
【００６１】
【図１】本発明の実施の形態１における観察装置を示す斜視図である。
【図２】同上の観察装置に備えられた照明ユニットを示す斜視図である。
【図３】同上の観察装置の要部を示す正面図である。
【図４】同上の観察装置の要部を示す正面図である。
【図５】同上の観察装置の照明ユニット設置部分を示す部分側面図である。
【図６−１】同上の観察装置におけるユニット支持部材を示す側面図である。
【図６−２】同上の観察装置におけるユニット支持部材を示す正面図である。
【図７】同上の観察装置における照明ユニットに設けられた凹部を示す側断面図である。
【図８】本発明の実施の形態２における観察装置の要部を示す正面図である。
【図９】本発明の実施の形態３における照明ユニットを示す側面図である。
【図１０】本発明の実施の形態４における照明ユニットを示す側方図である。
【図１１】本発明の実施の形態５における照明ユニットを示す側面図である。
【図１２−１】同上の照明ユニットにおける保護扉体の動きを説明する説明図である。
【図１２−２】同上の照明ユニットにおける保護扉体の動きを説明する説明図である。
【図１３−１】本発明の変形例１におけるユニット支持部材を示す側面図である。
【図１３−２】同上のユニット支持部材を示す正面図である。
【図１４】同上の照明ユニットを示す側断面図である。
【図１５】本発明の変形例２の要部を示す斜視図である。
【図１６】本発明の変形例３の要部を示す正面図である。
【符号の説明】
【００６２】
Ｌ      光軸
１     顕微鏡（観察装置）
２     光学系
３     照明ユニット
４     顕微鏡本体（観察装置本体）
１１   ユニット本体
１２   発光素子
１２ａ 電極
２２   ユニット挿入孔
２３   ユニット支持部材
２４ａ 接続端子
２６   発光素子駆動部
２７   顕微鏡電源部
【図１】
2010186067.tif 000003
【図２】
2010186067.tif 000004
【図３】
2010186067.tif 000005
【図４】
2010186067.tif 000006
【図５】
2010186067.tif 000007
【図６−１】
2010186067.tif 000008
【図６−２】
2010186067.tif 000009
【図７】
2010186067.tif 000010
【図８】
2010186067.tif 000011
【図９】
2010186067.tif 000012
【図１０】
2010186067.tif 000013
【図１１】
2010186067.tif 000014
【図１２−１】
2010186067.tif 000015
【図１２−２】
2010186067.tif 000016
【図１３−１】
2010186067.tif 000017
【図１３−２】
2010186067.tif 000018
【図１４】
2010186067.tif 000019
【図１５】
2010186067.tif 000020
【図１６】
2010186067.tif 000021